(57)【要約】【課題】振動などでボルトに締結されたナットが緩み、このナットがボルトから脱落することを防止するための締結ナットの脱落防止装置を提供する。【解決手段】振動によって緩む締結ナット２の脱落を防ぐためにボルト３に装着される規制部材４であって、この規制部材４は中央にボルト貫通孔６を有する円筒体５と、前記ボルト貫通孔６内に収納されるコイルバネ１０とよりなり、前記コイルバネ１０は前記ボルト３の前記雄ネジ３ａのピッチに整合するコイル部１０ａと、前記コイルバネ１０の一方端を前記コイル部１０ａの外周より外方に延出して、前記コイル部１０ａより大径に湾曲させて前記円筒体４の外周に密着するように卷装して固定端部１０ｂとし、前記コイルバネ１０の他方端を前記円筒体５の一端に形成した開口８より外方に臨ませて自由端部１０ｃとよりなる。【選択図】図１
2016161126.tif 000002
【特許請求の範囲】
【請求項１】
振動によって緩むナットの脱落を防ぐためにボルトに装着される規制部材であって、この規制部材は中央にボルト貫通孔を有する円筒体と、前記ボルト貫通孔内に収納されるコイルバネとよりなり、前記コイルバネは前記ボルトの前記雄ネジのピッチに整合するコイル部と、前記コイルバネの一方端を前記コイル部の外周より外方に延出して、前記コイル部より大径に湾曲させて前記円筒体の外周に密着するように卷装して固定端部とし、前記コイルバネの他方端を前記円筒体の一端に形成した開口より外方に非接触状態で臨ませて自由端部としてなることを特徴とする締結ナット用脱落防止装置。
【請求項２】
前記コイルバネの他方端の自由端部が臨む前記開口の形成された前記円筒体の一端に多角形状の治具係合部を設けたことを特徴とする請求項１に記載の締結ナット用脱落防止装置。
【請求項３】
前記円筒体は小径部と大径部よりなり、前記コイルバネの前記コイル部の外周より外方に延出して、前記コイル部より大径に湾曲される前記コイルバネの一方端を前記小径部の外周に密着するように卷装して前記固定端部としてなることを特徴とする請求項１または請求項２に記載の締結ナット用脱落防止装置。
【発明の詳細な説明】
【技術分野】
【０００１】  この発明は、振動などでボルトに螺合した締結ナットが緩み、ボルトから脱落することを防止するための締結ナット用脱落防止装置に関するものである。
【背景技術】
【０００２】  周知のように、ボルトに締結されたナットの緩みを止めて脱落防止するものとして、切欠きにより非連続のリングをなし、内周に雌ネジを有するものが多数提案されている（特許文献１）。このようなナット緩み止めリングは、それ自体が有する弾性により、内周の雌ネジをボルトの雄ネジに押圧することによって、雄ネジとの間に作用する摩擦力を大きくして、緩み止めの脱落を図ろうとするものである。
【先行技術文献】
【特許文献】
【０００３】
【特許文献１】特開昭５５−１１５６１３号公報
【発明の概要】
【発明が解決しようとする課題】
【０００４】  この特許文献１に記載のナット緩み止めリングでは、弾性力の大きさに限界があり、十分な緩み止め効果は得られず、しかも、通常のナットと同様に緩んでボルトから脱落してしまう虞があるので、抜け止め脱落の防止効果は得られないという問題があり、しかも、緩み止めリングの組み付けに手間がかかるなどの問題があった。【０００５】  この発明は、以上のようなことを考慮してなされたもので、ボルトにコイルバネが簡易に螺合され、長期間にわたって振動や外力等が作用することによる締結ナットの緩みによる脱落を確実に防止することができ、しかも、脱落を防止するための加工が少なく製作が容易な締結ナット用脱落防止装置を提供することを目的とする。
【課題を解決するための手段】
【０００６】  前記課題を解決し、かつ目的を達成するために、この発明は、以下のように構成した。【０００７】  請求項１に記載の発明は、振動によって緩むナットの脱落を防ぐためにボルトに装着される規制部材であって、この規制部材は中央にボルト貫通孔を有する円筒体と、前記ボルト貫通孔内に収納されるコイルバネとよりなり、前記コイルバネは前記ボルトの前記雄ネジのピッチに整合するコイル部と、前記コイルバネの一方端を前記コイル部の外周より外方に延出して、前記コイル部より大径に湾曲させて前記円筒体の外周に密着するように卷装して固定端部とし、前記コイルバネの他方端を前記円筒体の一端に形成した開口より外方に臨ませて自由端部としてなることを特徴とする締結ナット用脱落防止装置である。【０００８】  請求項２に記載の発明は、前記コイルバネの他方端の自由端部が臨む前記開口の形成された前記円筒体の一端に多角形状の治具係合部を設けたことを特徴とする請求項１に記載の締結ナット用脱落防止装置である。【０００９】  請求項３に記載の発明は、前記円筒体は小径部と大径部よりなり、前記コイルバネの前記コイル部の外周より外方に延出して、前記コイル部より大径に湾曲される前記コイルバネの一方端を前記小径部の外周に密着するように卷装して前記固定端部としてなることを特徴とする請求項１または請求項２に記載の締結ナット用脱落防止装置である。
【発明の効果】
【００１０】  前記構成により、この発明は、以下のような効果を有する。【００１１】  請求項１に記載の発明では、振動によって緩むナットの脱落を防ぐためにボルトに装着される規制部材であって、この規制部材は中央にボルト貫通孔を有する円筒体と、前記ボルト貫通孔内に収納されるコイルバネとよりなり、前記コイルバネは前記ボルトの前記雄ネジのピッチに整合するコイル部と、前記コイルバネの一方端を前記コイル部の外周より外方に延出して、前記コイル部より大径に湾曲させて前記円筒体の外周に密着するように卷装して固定端部とし、前記コイルバネの他方端を前記円筒体の一端に形成した開口より外方に臨ませて自由端部とよりなるので、前記ボルトの振動などで、前記ボルトに螺合する前記締結ナットの脱落を確実に阻止でき、しかも、前記ボルトに装着する前記規制部材を前記ボルトの雄ネジに容易に螺合できる。【００１２】  請求項２に記載の発明では、前記コイルバネの他方端の前記自由端部が臨む前記開口の形成された前記円筒体の一端に多角形状の治具係合部を設けるので、前記治具係止部と前記自由端部とが近接することになり、前記治具係合部の工具による締緩作業を前記自由端部の操作に容易に連繋させることができる。【００１３】  請求項３に記載の発明では、前記円筒体は小径部と大径部よりなり、前記コイルバネの前記コイル部の外周より外方に延出して、前記コイル部より大径に湾曲される前記コイルバネの一方端を前記小径部の外周に密着するように卷装して前記固定端部としてなるので、前記固定端部を前記小径部から前記大径部に至る段部で位置決めでき、前記コイルバネの前記コイル部が前記ボルト貫通孔内で傾くことがなく、前記コイル部に対する前記ボルトの螺合が円滑になる。
【図面の簡単な説明】
【００１４】
【図１】この発明における第１の実施の態様を示す断面図。
【図２】この発明における第１の実施の態様を示す平面図。
【図３】この発明におけるボルトに対する回転動作状態を示す断面図。
【図４】この発明の第２の実施の態様を示す断面図。
【図５】この発明における第２の実施の態様を示す平面図。
【発明を実施するための形態】
【００１５】  以下、この発明における締結ナットの脱落防止装置の実施の形態について説明する。この発明の実施の形態は、発明の最も好ましい形態を示すものであり、この発明はこれに限定されない。
【００１６】  この発明における第１の実施の形態を、図１および図３に基づいて説明する。図１は締結ナット用脱落防止装置を実施した一例を示すもので、符号１で示されるものは被締結部材で、鋼板をプレス加工して形成され一対のブラケットよりなる。
【００１７】  前記被締結部材１は、締結ナット２をボルト３に螺合することにより組付けられる。前記ボルト３には、前記締結ナット２が振動などで緩み脱落を防止する規制部材４が装着される。
【００１８】  前記規制部材４は、前記ボルト３が挿通されるボルト貫通孔６を穿設する六角形状の円筒体５と、前記ボルト貫通孔６内に収納されるコイルバネ１０とよりなり、前記締結ナット２の端面に配置される。
【００１９】  前記円筒体５の一端面５ｂには、半径方向の開口７を穿設するとともに、多角形状の治具係合部９を一体に設ける。なお、前記治具係合部９を六角形状にしたが、８角形状、１２角形状及び４角形状などの多角形でもよい。また、前記治具係合部９を多角形状の環状に形成して、前記円筒体５の外周に溶接などにより固着してもよい。
【００２０】  前記コイルバネ１０は前記ボルト３の雄ネジ３ａのピッチに整合するコイル部１０ａと、前記コイル部１０ａの一方端の固定端部１０ｂと、前記コイル部１０ａの他方端の自由端部１０ｃとを有する。
【００２１】  前記固定端部１０ｂは、前記コイルバネ１０の一方端を前記コイル部１０ａの外周より外方に延出し、前記円筒体５の他端面５ｂに形成した切欠き８を経て、前記コイル部１０ａより大径に湾曲させ、前記円筒体５の外周に密着するように卷装してなる。なお、前記固定端部１０ｂの巻き数を複数にしたが、一条の巻装でもよい。
【００２２】  前記自由端部１０ｃは、前記コイルバネ１０の他方端を前記円筒体５の前記一端面５ａ側に穿設した前記開口７より外方に非接触状態で臨ませてなり、前記円筒体５に伝わる振動によってコイルバネ１０が回動することがなく、前記円筒体５の緩みを確実に防止できる。
なお、前記開口７に対して前記切欠き８を同じ向きに形成にすると前記コイル部１０ａの巻き数を増やすことができる。
【００２３】  前記規制部材４において、前記被締結部材１に貫挿した前記ボルト３に対して締付ナット２を螺合した後、メガネレンチなどの治具（図示せず）に保持された前記治具係合部９を介して、前記円筒体５を前記ボルト３に挿入する。
【００２４】  この際、前記コイルバネ１０の前記自由端部１０ｃをバネ力に抗して操作すると、前記コイルバネ１０は前記固定端部１０ｂを支点として前記コイルバネ１０の前記コイル部１０ａが拡径し、図３に示すように、前記ボルト３の前記雄ネジ３ａの谷に嵌る前記コイル部１０ａの素線と前記雄ネジ３ａの谷との間に隙間が生じて摩擦力が軽減され、前記コイルバネ１０が前記ボルト３の前記雄ネジ３ａに円滑にネジ込まれて前記円筒体５が前記ナット２の端面まで挿入される。
【００２５】  その後、前記コイルバネ１０の前記自由端部１０ｃの操作を解除すると、前記コイルバネ１０のバネ力により、前記コイルバネ１０の前記コイル部１０ａは前記ボルト３の軸芯方向に向って縮径し、前記円筒体５と一緒にネジ込まれた前記コイルバネ１０は、図１に示すように、前記ボルト３の前記雄ネジ３ａの谷に前記コイル部１０ａが嵌り込み密着して前記円筒体５の回転を不動にするとともに、前記円筒体５より前記締結ナット２の端面に向かう軸方向の力が作用する。
【００２６】  さらに、前記円筒体５を前記ボルト３より離脱する際には、前記コイルバネ１０の前記自由端部１０ｃをバネ力に抗して操作すると、前記コイルバネ１０の前記コイル部１０ａが拡径し、図３に示すように、前記ボルト３の前記雄ネジ３ａの谷と、前記コイル部１０ａとの密着を解除して摩擦が無くなり、あるいは軽減されて自由に回転を許容するようになるから、前記ボルト３の前記雄ネジ３ａを保護しながら簡単に前記円筒体５を回転して前記ボルト３から離脱することができる。
【００２７】  次に、第２の実施の形態を、図４および図５に基づいて説明する。この実施の形態において第１の実施の形態と同じ構成は同一の符号を付して説明する。
【００２８】  この第２の実施の形態では、第１の実施の形態で説明している前記規制部材４と同様に円筒体５とコイルバネ１０とよりなり、前記円筒体５は小径部５１と大径部５２を有し、前記小径部５１から前記大径部５２に至る段部５３が形成される。
【００２９】  前記コイルバネ１０の一方端は前記コイル部１０ａの外周より外方に延出して、前記コイル部１０ａより大径に湾曲させ前記小径部５１の外周に密着するように卷装して前記固定端部５ｂとし、コイルバネ１０の他方端は前記円筒体５の前記一端面５ａ側に穿設した前記開口７より外方に臨ませてなる。
【００３０】  この実施の形態では、複数巻にした前記固定端部１０ｂが前記段部５３によって軸方向に位置決めされるので、前記コイルバネ１０の前記コイル部１０ａが前記ボルト貫通孔６内で傾くことがなく、前記コイル部１０ａに対する前記ボルト３の螺合が円滑になる。
【００３１】  以上の構成におけるナットの脱落防止装置において、前記規制部材４の前記コイルバネ１０の前記コイル部１０ａは、前記ボルト３の前記雄ネジ３ａに圧接して前記規制部材４の前記筒体５が回転不動に装着され、前記被締結部材１より伝わって生じる前記ボルト３の振動により緩む前記締結ナット２の脱落を前記規制部材４によって防止する。
【００３２】  また、前記コイルバネ１０の前記固定端部１０ｂは前記円筒体５の外周に密着させて保持され、しかも、前記開口８より外方に臨む前記コイルバネ１０の前記自由端部１０ｃを操作すれば、前記コイルバネ１０のコイル部が拡径し、前記筒体５を前記ボルト３に円滑に螺合できる。
【産業上の利用可能性】
【００３３】  この発明は、ボルトの振動により緩んだナットの脱落を確実に防ぎ、ボルトへ簡単に装着でき、しかも製作が容易なナットの脱落防止装置である。
【符号の説明】
【００３４】１      被締結部材
２      締結ナット
２ａ    雌ネジ
３      ボルト
３ａ    雄ネジ
４      規制部材
５      円筒体
５ａ    円筒体の一端面
５ｂ    円筒体の他端面
５１    小径部
５２    大径部
５３    段部
６      ボルト貫通孔
７      開口
８      切欠き
９      治具係合部
１０    コイルバネ
１０ａ  コイル部
１０ｂ  固定端部
１０ｃ  自由端部
【図１】
2016161126.tif 000003
【図２】
2016161126.tif 000004
【図３】
2016161126.tif 000005
【図４】
2016161126.tif 000006
【図５】
2016161126.tif 000007